(57)【要約】【課題】バスバを筐体に容易に固定可能なバスバの固定構造、及び、その固定構造を用いる電気接続箱、を提供すること。【解決手段】電気接続箱１は、端子３０を収容する端子収容室１１を有する筐体１０と、筐体１０に固定されるバスバ２０とを備えるバスバの固定構造を用いる。端子収容室１１は、端子３０が端子収容室１１に収容されていないときに端子収容室１１の室内に突出し、端子３０が端子収容室１１に収容されているときに端子収容室１１の室外に向けて押し出される係止アーム１３を有する。バスバ２０は、端子収容室１１の室外に押し出された係止アーム１３と係合することにより、筐体１０に固定される。バスバ２０は、係止アーム１３に対応する位置に凹部又は貫通孔２１を有し、係止アーム１３は、凹部又は貫通孔２１に挿入されることにより、バスバ２０と係合する。【選択図】図２
2020137179.tif 000002
【特許請求の範囲】
【請求項１】
端子を収容する端子収容室を有する筐体と、前記筐体に固定されるバスバと、を備える、バスバの固定構造であって、
前記端子収容室は、
前記端子が当該端子収容室に収容されていないときに当該端子収容室の室内に突出し、前記端子が当該端子収容室に収容されているときに当該端子収容室の室外に向けて押し出される、係止アームを有し、
前記バスバは、
前記端子収容室の前記室外に押し出された前記係止アームと係合することにより、前記筐体に固定される、
バスバの固定構造。
【請求項２】
請求項１に記載の固定構造において、
前記筐体は、
前記端子収容室を画成する壁部に隣接するように、前記バスバの配索経路を有する、
バスバの固定構造。
【請求項３】
請求項１又は請求項２に記載の固定構造において、
前記バスバは、
前記係止アームに対応する位置に凹部又は貫通孔を有し、
前記係止アームは、
前記凹部又は前記貫通孔に挿入されることによって前記バスバと係合する、
バスバの固定構造。
【請求項４】
端子を収容する端子収容室を有する筐体と、前記筐体に固定されるバスバと、を備え、
前記バスバが前記筐体に請求項１〜請求項３の何れか一項に記載の固定構造を用いて固定される、
電気接続箱。
【発明の詳細な説明】
【技術分野】
【０００１】
本発明は、端子収容室を有する筐体にバスバを固定するためのバスバの固定構造、及び、その固定構造を用いる電気接続箱、に関する。
【背景技術】
【０００２】
従来から、例えば、自動車などに搭載される電気接続箱（例えば、リレーボックス）の内部での電力分配などを目的として、電気接続箱にバスバを内蔵することが提案されている。例えば、従来の電気接続箱の一つでは、電気接続箱の筐体（ヒューズやリレー等が取り付けられる本体部分）に平板状のバスバが挿入された状態で固定されるようになっている（例えば、特許文献１〜２を参照）。
【先行技術文献】
【特許文献】
【０００３】
【特許文献１】特開２００５−０５０５７７号公報
【特許文献２】特開２０００−１６６０５７号公報
【発明の概要】
【発明が解決しようとする課題】
【０００４】
上述した従来の電気接続箱では、電気接続箱の筐体に設けた突起部をバスバに設けた孔に係合させることで、バスバを筐体に固定するようになっている。しかし、電気接続箱の小型化・薄型化に伴い、電気接続箱の内部に各種部材が密集して配置されることで、そのような突起部を設けるスペースを確保することが困難な場合もある。
【０００５】
本発明は、上述した事情に鑑みてなされたものであり、その目的は、省スペースでありながらバスバを筐体に確実に固定可能なバスバの固定構造、及び、その固定構造を用いる電気接続箱、を提供することにある。
【課題を解決するための手段】
【０００６】
前述した目的を達成するために、本発明に係るバスバの固定構造、及び、電気接続箱は、下記［１］〜［４］を特徴としている。
［１］
端子を収容する端子収容室を有する筐体と、前記筐体に固定されるバスバと、を備える、バスバの固定構造であって、
前記端子収容室は、
前記端子が当該端子収容室に収容されていないときに当該端子収容室の室内に突出し、前記端子が当該端子収容室に収容されているときに当該端子収容室の室外に向けて押し出される係止アームを有し、
前記バスバは、
前記端子収容室の前記室外に押し出された前記係止アームと係合することにより、前記筐体に固定される、
バスバの固定構造であること。
［２］
上記［１］に記載の固定構造において、
前記筐体は、
前記端子収容室を画成する壁部に隣接するように前記バスバの配索経路を有し、
前記係止アームは、
前記壁部に配置される、
バスバの固定構造であること。
［３］
上記［１］又は上記［２］に記載の固定構造において、
前記バスバは、
前記係止アームに対応する位置に凹部又は貫通孔を有し、
前記係止アームは、
前記凹部又は前記貫通孔に挿入されることによって前記バスバと係合する、
バスバの固定構造であること。
［４］
端子を収容する端子収容室を有する筐体と、前記筐体に固定されるバスバと、を備え、
前記バスバが前記筐体に上記［１］〜上記［３］の何れか一つに記載の固定構造を用いて固定される、
電気接続箱であること。
【０００７】
上記［１］の構成のバスバの固定構造によれば、端子を端子収容室に挿入して収容すると、その端子によって端子収容室の室外に係止アームが押し出される。そして、係止アームとバスバとが係合することで、バスバが筐体に固定される。よって、上述した従来の電気接続箱において突起部が配置されるスペースのような、バスバを固定するための部材を配置する専用のスペースが不要となる。したがって、本構成の固定構造は、省スペースでありながらバスバを筐体に確実に固定可能である。
【０００８】
上記［２］の構成のバスバの固定構造によれば、端子収容室とバスバの配索経路との間に、端子収容室を画成する壁部が配置される。更に、係止アームがその壁部に配置される。よって、端子収容室へ端子を収容したときに係止アームをバスバに向けて押し出すように、係止アームの構造をシンプルかつ合理的なものにすることができる。
【０００９】
上記［３］の構成のバスバの固定構造によれば、バスバに設けられた凹部または貫通孔に係止アームが挿入されることで、係止アームがバスバと係合する。よって、従来からバスバの固定構造に用いられているバスバの凹部または貫通孔を、そのまま本発明に係るバスバの固定構造に利用できる。その結果、バスバの設計変更などを不要にでき、各種の電気接続箱などに本構成の固定構造を適用し易くなる。
【００１０】
更に、本固定構造によれば、バスバが筐体の正規位置に配置されていない場合、係止アームがバスバと干渉して凹部または貫通孔に入り込むことができず、係止アームが端子収容室の室外に十分に移動し得なくなる。その結果、端子を端子収容室に収容できないことになる。よって、端子が端子収容室に適正に収容されるか否かにより、バスバが筐体の正規位置に配置されているか否かを検知することが可能となる。
【００１１】
上記［４］の構成の電気接続箱によれば、端子を端子収容室に挿入して収容すると、その端子によって端子収容室の室外に係止アームが押し出される。そして、係止アームとバスバとが係合することで、バスバが筐体に固定される。よって、上述した従来の電気接続箱において突起部が配置されるスペースのような、バスバを固定するための部材を配置する専用のスペースが不要となる。したがって、本構成の電気接続箱は、小型化・薄型化を容易に実現可能である。
【発明の効果】
【００１２】
本発明によれば、省スペースでありながらバスバを筐体に確実に固定可能なバスバの固定構造、及び、その固定構造を用いる電気接続箱、を提供できる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】図１は、本発明の実施形態に係るバスバの固定構造を用いた電気接続箱の一部を拡大して示す上面図である。
【図２】図２（ａ）は、端子収容室に設けられた係止アームの周囲を拡大して示す、端子収容室の軸線に沿う断面図であり、図２（ｂ）は、端子収容室への端子の挿入により係止アームがバスバと係合する様子を示す図２（ａ）に対応する図である。
【発明を実施するための形態】
【００１５】
＜実施形態＞
以下、図面を参照しながら、本発明の実施形態に係るバスバの固定構造を用いた電気接続箱１について説明する。電気接続箱１は、典型的には、自動車などの車両に搭載されて、車両に搭載された複数の電気機器への電力分配を制御するためのヒューズボックスやリレーボックスである。
【００１６】
以下、説明の便宜上、図１及び図２に示すように、「前後方向」、「幅方向」、「上下方向」、「上」、及び「下」を定義する。「前後方向」、「幅方向」及び「上下方向」は、互いに直交している。上下方向は、端子３０の端子収容室１１への挿入方向と一致している。
【００１７】
図１及び図２に示すように、電気接続箱１は、樹脂製の筐体１０と、筐体１０に固定される金属製のバスバ２０と、を備える。筐体１０には、筐体１０の上面に開口し且つ下方向に延びる複数の端子収容室１１が設けられている。本例では、４つの断面矩形状の端子収容室１１が、前後方向且つ幅方向に並ぶように（マトリクス状に）配置されている。
【００１８】
筐体１０の上面には、バスバ２０を固定するためのバスバ固定部１２が形成されている。バスバ固定部１２は、上方に開口する溝であり、バスバ２０の配索経路に沿って延びている。本例では、バスバ固定部１２は、前後方向及び幅方向に交互にクランク状に延びており、このバスバ固定部１２に、前後方向及び幅方向に交互にクランク状に延びる板状のバスバ２０が収容されている。
【００１９】
バスバ固定部１２における幅方向に延びる部分１２ａ（図１参照）は、４つの端子収容室１１のうちの１つの端子収容室１１ａ（図１参照）を画成する「一側の壁部」（幅方向に延びる壁部）に隣接するように配置されている。このため、バスバ２０における幅方向に延びる部分２０ａ（以下、単に「バスバ２０ａ」ともいう。図１参照）も、端子収容室１１ａの「一側の壁部」に隣接するように配置されている。
【００２０】
図２に示すように、端子収容室１１ａには、下側に向けて延びる片持ち梁状の係止アーム１３が、「一側の壁部」の一部を構成するように、設けられている。端子３０が端子収容室１１ａに収容されていないとき（即ち、係止アーム１３が弾性変形していないとき）には、図２（ａ）に示すように、係止アーム１３の先端部（下端部）１３ａが、端子収容室１１ａの室内に突出している。
【００２１】
バスバ固定部１２における幅方向に延びる部分１２ａにおける係止アーム１３に対応する箇所では、係止アーム１３側の側壁が開口しており、この結果、バスバ２０ａにおける係止アーム１３に対応する領域が、係止アーム１３側に露出している。バスバ２０ａにおける係止アーム１３の先端部１３ａに対応する位置には、板厚方向（前後方向）に貫通する貫通孔２１が形成されている。
【００２２】
端子３０が端子収容室１１ａに挿入されると、図２（ａ）に矢印で示すように、端子３０が係止アーム１３の先端部１３ａを押圧することで、係止アーム１３が端子収容室１１ａの室外に向けて（露出するバスバ２０ａに向けて）弾性変形する。そして、図２（ｂ）に示すように、端子３０が端子収容室１１ａの正規位置まで挿入されると、端子３０の押圧部３１が係止アーム１３の先端部１３ａを押圧することで、先端部１３ａがバスバ２０ａの貫通孔２１に挿入される位置（係合位置）まで押し出されて、先端部１３ａが貫通孔２１に挿入された状態が維持される。この結果、係止アーム１３がバスバ２０ａと係合することで、バスバ２０全体が筐体１０に固定される。
【００２３】
他方、バスバ２０がバスバ固定部１２の正規の位置に配置されていない場合、係止アーム１３の先端部１３ａとバスバ２０ａの貫通孔２１との相対位置がずれることで、先端部１３ａが貫通孔２１に挿入され得なくなり、先端部１３ａが「係合位置」まで移動不能となる。この結果、係止アーム１３が端子収容室１１ａの室外に向けて十分に移動し得なくなるので、端子３０が端子収容室１１ａの室内に留まる係止アーム１３の先端部１３ａと干渉して、端子３０が端子収容室１１ａの正規位置まで挿入し得なくなる。このため、端子３０が端子収容室１１ａの正規位置まで挿入可能か否かを判断することで、バスバ２０がバスバ固定部１２の正規の位置に配置されているか否かを検知することが可能となる。
【００２４】
以上、本発明の実施形態に係るバスバの固定構造を用いた電気接続箱１によれば、端子３０を端子収容室１１ａに挿入して収容すると、端子３０により端子収容室１１ａの室外に押し出された係止アーム１３の先端部１３ａがバスバ２０ａの貫通孔２１に挿入されることで、バスバ２０が筐体１０に固定される。よって、バスバ２０を筐体１０に固定する固定構造のための専用のスペースが不要となる。このため、バスバ２０を筐体１０に容易に固定可能なバスバの固定構造、及びその固定構造を用いた電気接続箱１が提供され得る。
【００２５】
更に、電気接続箱１によれば、端子収容室１１ａを画成する「一側の壁部」を挟んで端子収容室１１ａとバスバ２０ａの配索経路とが配置され得る。この結果、合理的な構造が実現されて、省スペースが達成される電気接続箱１を実現することができる。
【００２６】
更に、電気接続箱１によれば、バスバ２０ａに設けられた貫通孔２１に係止アーム１３の先端部１３ａが挿入されることで、係止アーム１３がバスバ２０ａと係合する。よって、従来からバスバの固定構造として用いられているバスバの貫通孔をそのまま、本発明に係るバスバの固定構造として利用することができる。
【００２７】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
例えば、上記実施形態では、端子３０により端子収容室１１ａの室外に押し出された係止アーム１３の先端部１３ａが、バスバ２０ａに設けられた貫通孔２１に挿入されることで、バスバ２０が筐体１０に固定される。これに対し、当該先端部１３ａが、バスバ２０ａに設けられた凹部（先端部１３ａ側に開口する貫通しない穴）に挿入されることで、バスバ２０が筐体１０に固定されていてもよい。
【００２９】
ここで、上述した本発明に係るバスバの固定構造、及び、その固定構造を用いた電気接続箱の実施形態の特徴をそれぞれ以下［１］〜［４］に簡潔に纏めて列記する。
［１］
端子（３０）を収容する端子収容室（１１）を有する筐体（１０）と、前記筐体（１０）に固定されるバスバ（２０）と、を備える、バスバの固定構造であって、
前記端子収容室（１１）は、
前記端子（３０）が当該端子収容室（１１）に収容されていないときに当該端子収容室（１１）の室内に突出し、前記端子（３０）が当該端子収容室（１１）に収容されているときに当該端子収容室（１１）の室外に向けて押し出される係止アーム（１３）を有し、
前記バスバ（２０）は、
前記端子収容室（１１）の前記室外に押し出された前記係止アーム（１３）と係合することにより、前記筐体（１０）に固定される、
バスバの固定構造。
［２］
上記［１］に記載の固定構造において、
前記筐体（１０）は、
前記端子収容室（１１）を画成する壁部に隣接するように前記バスバ（２０）の配索経路を有し、
前記係止アーム（１３）は、
前記壁部に配置される、
バスバの固定構造。
［３］
上記［１］又は上記［２］に記載の固定構造において、
前記バスバ（２０）は、
前記係止アーム（１３）に対応する位置に凹部又は貫通孔（２１）を有し、
前記係止アーム（１３）は、
前記凹部又は前記貫通孔（２１）に挿入されることによって前記バスバ（２０）と係合する、
バスバの固定構造。
［４］
端子（３０）を収容する端子収容室（１１）を有する筐体（１０）と、前記筐体（１０）に固定されるバスバ（２０）と、を備え、
前記バスバ（２０）が前記筐体（１０）に上記［１］〜上記［３］の何れか一つに記載の固定構造を用いて固定される、
電気接続箱（１）。
【符号の説明】
【００３０】
１      電気接続箱
１０    筐体
１１    端子収容室
１３    係止アーム
２０    バスバ
２１    貫通孔
３０    端子
【図１】
2020137179.tif 000003
【図２】
2020137179.tif 000004